【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
コンピュータに接続して利用されるデバイスの利用制御を行うデバイス利用制御方法であって、
（Ａ）前記コンピュータに前記デバイスが接続されると、当該デバイスに関する識別情報を当該デバイスから取得するステップと、
（Ｂ）前記ステップ（Ａ）で取得した前記識別情報に基づいて、前記デバイスが予め利用許可された許可デバイスであるか、利用許可されていない未許可デバイスであるかを判定するステップと、
（Ｃ）前記ステップ（Ｂ）による判定の結果、前記デバイスが未許可デバイスである場合に、後記ステップ（Ｄ−１）と後記ステップ（Ｄ−２）とを選択し、実行するステップと、
（Ｄ−１）前記デバイスのマウントを禁止するステップ
（Ｄ−２）前記デバイスに対するデータの読み出し及び書き込みの少なくとも一方を制限した状態で前記デバイスのマウントを許可するステップ
を備える、デバイス利用制御方法。
【請求項２】
前記ステップ（Ｃ）においては、所定の条件を満たした場合に前記ステップ（Ｄ−２）が実行される、請求項１に記載のデバイス利用制御方法。
【請求項３】
前記所定の条件として、未許可デバイスの利用要求が前記コンピュータに入力された場合に、前記ステップ（Ｄ−２）が実行される、請求項２に記載のデバイス利用制御方法。
【請求項４】
（Ｅ）前記ステップ（Ｄ−２）において前記デバイスに対するデータの読み出し及び書き込みの少なくとも一方を制限した状態で前記デバイスのマウントを許可した場合に、所定時間の経過後に当該デバイスのマウントを禁止するステップ
をさらに備える、請求項１〜３のいずれか一つに記載のデバイス利用制御方法。
【請求項５】
前記ステップ（Ｄ−２）は、
（Ｄ−２−１）前記デバイスが未許可デバイスである場合に、当該デバイスに関するデバイス情報を当該デバイスから取得するステップと、
（Ｄ−２−２）前記ステップ（Ｄ−２−１）で取得した前記デバイス情報に基づいて、利用を希望するデバイスをユーザに選択させるための選択メニューを作成し、当該選択メニューをユーザに提示するステップと、
を有する、請求項１〜４のいずれか一つに記載のデバイス利用制御方法。
【請求項６】
（Ｆ）前記ステップ（Ｄ−２）において前記デバイスに対するデータの読み出し及び書き込みの少なくとも一方を制限した状態で前記デバイスのマウントを許可した場合に、当該デバイスに関して許可デバイスとしての承認を受けるための利用申請を前記コンピュータから所定のサーバ装置に通知するステップ
をさらに備える、請求項１〜５のいずれか一つに記載のデバイス利用制御方法。
【請求項７】
（Ｇ）前記ステップ（Ｄ−２）において前記デバイスに対するデータの読み出し及び書き込みの少なくとも一方を制限した状態で前記デバイスのマウントを許可した場合に、予め設定された条件に基づいて当該デバイスを許可デバイスとして承認するステップ
をさらに備える、請求項１〜６のいずれか一つに記載のデバイス利用制御方法。
【請求項８】
（Ｈ）前記ステップ（Ｄ−２）において前記デバイスに対するデータの読み出し及び書き込みの少なくとも一方を制限した状態で前記デバイスのマウントを許可した場合に、当該デバイス内に記憶されているファイルに関する情報を取得するステップ
をさらに備える、請求項１〜７のいずれか一つに記載のデバイス利用制御方法。
【請求項９】
前記ステップ（Ｈ）においては、
前記デバイスのマウントを許可したタイミング、
前記コンピュータから前記デバイスにデータが書き込まれているタイミング、及び
前記コンピュータから前記デバイスへのデータの書き込みが完了したタイミング、
の少なくとも一つにおいて、当該デバイス内に記憶されているファイルに関する情報が取得される、請求項８に記載のデバイス利用制御方法。
【請求項１０】
コンピュータに接続して利用されるデバイスの利用制御を行うデバイス利用制御装置であって、
前記コンピュータに前記デバイスが接続されると、当該デバイスに関する識別情報を当該デバイスから取得する取得部と、
前記取得部で取得した前記識別情報に基づいて、前記デバイスが予め利用許可された許可デバイスであるか、利用許可されていない未許可デバイスであるかを判定する判定部と、
前記判定部による判定の結果に基づいて、前記デバイスの利用制御を行う制御部と、
を備え、
前記制御部は、前記デバイスが未許可デバイスである場合には、前記デバイスのマウントを禁止する第１の利用制御と、前記デバイスに対するデータの読み出し及び書き込みの少なくとも一方を制限した状態で前記デバイスのマウントを許可する第２の利用制御と、を選択し、実行する、デバイス利用制御装置。
【請求項１１】
コンピュータに接続して利用されるデバイスの利用制御を行うデバイス利用制御システムであって、
前記コンピュータと、
前記コンピュータと通信可能なサーバ装置と、
を備え、
前記コンピュータは、
前記コンピュータに前記デバイスが接続されると、当該デバイスに関する識別情報を当該デバイスから取得する取得部と、
前記デバイスが予め利用許可された許可デバイスであるか、利用許可されていない未許可デバイスであるかを、前記取得部で取得した前記識別情報と、前記サーバ装置で管理されている許可デバイスの識別情報のリスト情報とを比較することにより判定する判定部と、
前記判定部による判定の結果に基づいて、前記デバイスの利用制御を行う制御部と、
を有し、
前記制御部は、前記デバイスが未許可デバイスである場合には、前記デバイスのマウントを禁止する第１の利用制御と、前記デバイスに対するデータの読み出し及び書き込みの少なくとも一方を制限した状態で前記デバイスのマウントを許可する第２の利用制御と、を選択し、実行する、デバイス利用制御システム。
【請求項１２】
コンピュータに接続して利用されるデバイスの利用制御を行うためのプログラムであって、
前記コンピュータに、
（Ａ）前記コンピュータに前記デバイスが接続されると、当該デバイスに関する識別情報を当該デバイスから取得するステップと、
（Ｂ）前記ステップ（Ａ）で取得した前記識別情報に基づいて、前記デバイスが予め利用許可された許可デバイスであるか、利用許可されていない未許可デバイスであるかを判定するステップと、
（Ｃ）前記ステップ（Ｂ）による判定の結果、前記デバイスが未許可デバイスである場合に、後記ステップ（Ｄ−１）と後記ステップ（Ｄ−２）とを選択し、実行するステップと、
（Ｄ−１）前記デバイスのマウントを禁止するステップ
（Ｄ−２）前記デバイスに対するデータの読み出し及び書き込みの少なくとも一方を制限した状態で前記デバイスのマウントを許可するステップ
を実行させるための、プログラム。
【請求項１３】
コンピュータに接続して利用されるデバイスの利用制御を行うデバイス利用制御方法であって、
（Ａ）前記コンピュータに前記デバイスが接続されると、当該デバイスに関する識別情報を当該デバイスから取得するステップと、
（Ｂ）前記ステップ（Ａ）で取得した前記識別情報に基づいて、前記デバイスが予め利用許可された許可デバイスであるか、利用許可されていない未許可デバイスであるかを判定するステップと、
（Ｃ）前記ステップ（Ｂ）による判定の結果、前記デバイスが未許可デバイスである場合に、前記デバイスに対するデータの読み出し及び書き込みの少なくとも一方を制限した状態で前記デバイスのマウントを許可し、当該デバイスに関して許可デバイスとしての承認を受けるための利用申請を前記コンピュータから所定のサーバ装置に通知するステップと、
を備える、デバイス利用制御方法。